(57)【要約】【課題】端末装置２００と接続する際におけるユーザーの利便性を向上できるようにする。【解決手段】複数の入力インターフェースＮＦを有するプロジェクター１００であって、通信インターフェース部１４５と、通信インターフェース部１４５により取得した、端末装置２００が有する出力インターフェースＳＦに関する出力インターフェース情報に基づいて、選択画面を生成する生成部１７２と、選択画面を投射する投射部１１０と、を備え、生成部１７２は、同種インターフェースを含み同種インターフェースと異なる異種インターフェースを含まない選択画面を生成する。【選択図】図２
2019148628.tif 000002
【特許請求の範囲】
【請求項１】
第１入力部と前記第１入力部と異なる第２入力部を含む複数の入力部を有する表示装置であって、
通信部と、
前記通信部により取得した、情報端末が有する出力部に関する出力部情報に基づいて、選択画面を生成する生成部と、
前記選択画面を表示する表示部と、を備え、
前記生成部は、
前記出力部情報に基づいて、前記第１入力部を含み前記第２入力部を含まない前記選択画面を生成する、
表示装置。
【請求項２】
前記生成部は、
前記出力部と接続できる前記入力部を前記第１入力部とし、前記出力部と接続できない前記入力部を前記第２入力部として、前記選択画面を生成する、
請求項１に記載の表示装置。
【請求項３】
前記生成部は、
前記情報端末で検出された操作に基づいて、前記情報端末が前記出力部情報が示す前記出力部の設定を行い、前記表示装置が前記操作に基づいて設定された前記出力部と接続できる前記入力部を有する場合、当該前記入力部を前記第１入力部として、前記選択画面を生成する、
請求項１又は２に記載の表示装置。
【請求項４】
前記生成部は、
前記情報端末が、利用頻度が最も高い前記出力部を前記出力部情報に設定し、前記表示装置が前記出力部情報に設定された前記出力部と接続できる前記入力部を有する場合、当該前記入力部を前記第１入力部として、前記選択画面を生成する、
請求項１又は２に記載の表示装置。
【請求項５】
前記生成部は、
前記通信部により複数の前記情報端末から前記出力部情報を取得した場合、前記情報端末ごとに前記選択画面を生成する、
請求項１から４のいずれか一項に記載の表示装置。
【請求項６】
前記通信部は、前記出力部情報と共に前記情報端末の利用者を示す利用者情報を取得し、
前記生成部は、前記利用者情報を含む前記選択画面を生成する、
請求項１から５のいずれか一項に記載の表示装置。
【請求項７】
第１入力部と前記第１入力部と異なる第２入力部を含む複数の入力部を有する表示装置の制御方法であって、
情報端末が有する出力部に関する出力部情報を取得し、
取得した前記出力部情報に基づいて、前記第１入力部を含み前記第２入力部を含まない選択画面を生成し、
選択画面を表示する、
表示装置の制御方法。
【発明の詳細な説明】
【技術分野】
【０００１】
本発明は、表示装置、及び、表示装置の制御方法に関する。
【背景技術】
【０００２】
従来、入力端子等の映像ソースが入力可能な入力部を選択可能な選択画面を表示する技術が知られている（例えば、特許文献１参照）。特許文献１では、映像ソースを想起させるアイコンを含む選択画面を表示し、アイコンが選択されることで映像ソースを切り替えるプロジェクターを開示する。
【先行技術文献】
【特許文献】
【０００３】
【特許文献１】特開２０１１−９１６３２号公報
【発明の概要】
【発明が解決しようとする課題】
【０００４】
しかしながら、特許文献１は、プロジェクターが有する入力部の数が多くなればなるほど選択画面が含むアイコンの数が多くなる。そのため、特許文献１は、情報端末と接続する際に選択肢が多くなり、どの入力部を選択すればよいのかをユーザーが容易に判断できない場合がある。
そこで、本発明は、上述した事情に鑑みてなされたものであり、情報端末と接続する際におけるユーザーの利便性を向上できるようにすることを目的とする。
【課題を解決するための手段】
【０００５】
上記課題を解決するために、本発明は、第１入力部と前記第１入力部と異なる第２入力部を含む複数の入力部を有する表示装置であって、通信部と、前記通信部により取得した、情報端末が有する出力部に関する出力部情報に基づいて、選択画面を生成する生成部と、前記選択画面を表示する表示部と、を備え、前記生成部は、前記出力部情報に基づいて、前記第１入力部を含み前記第２入力部を含まない前記選択画面を生成する。
本発明によれば、出力部情報に基づいて第１入力部を含み第２入力部を含まない選択画面を生成するため、情報端末と接続する際にどの入力部を選択すればよいのかをユーザーが容易に判断できるようになり、情報端末と接続する際におけるユーザーの利便性を向上できる。
【０００６】
また、本発明は、前記生成部は、前記出力部と接続できる前記入力部を前記第１入力部とし、前記出力部と接続できない前記入力部を前記第２入力部として、前記選択画面を生成する。
本発明によれば、情報端末が有する出力部と接続できる入力部を第１入力部とし、情報端末が有する出力部と接続できない入力部を第２入力部として選択画面を生成するため、情報端末と接続可能な入力部がどの入力部であるかをユーザーが容易に判断できるようになり、情報端末と接続する際におけるユーザーの利便性を向上できる。
【０００７】
また、本発明は、前記生成部は、前記情報端末で検出された操作に基づいて、前記情報端末が前記出力部情報が示す前記出力部の設定を行い、前記表示装置が前記操作に基づいて設定された前記出力部と接続できる前記入力部を有する場合、当該前記入力部を前記第１入力部として、前記選択画面を生成する。
本発明によれば、設定された出力部と接続できる入力部を表示装置が有する場合、この入力部を第１入力部として選択画面を生成するため、設定された入力部をユーザーに提示でき、情報端末と接続する際におけるユーザーの利便性を向上できる。
【０００８】
また、本発明は、前記生成部は、前記情報端末が、利用頻度が最も高い前記出力部を前記出力部情報に設定し、前記表示装置が前記出力部情報に設定された前記出力部と接続できる前記入力部を有する場合、当該前記入力部を前記第１入力部として、前記選択画面を生成する。
本発明によれば、利用頻度が最も高い出力部と接続できる入力部を有する場合、この入力部を第１入力部として選択画面を生成するため、利用頻度が最も高い入力部をユーザーに提示でき、情報端末と接続する際におけるユーザーの利便性を向上できる。
【０００９】
また、本発明は、前記生成部は、前記通信部により複数の前記情報端末から前記出力部情報を取得した場合、前記情報端末ごとに前記選択画面を生成する。
本発明によれば、情報端末ごとに選択画面を生成するため、接続する情報端末が複数ある場合でも、１の情報端末ごとに、どの入力部を選択すればよいのかをユーザーが容易に判断できるようになり、複数の情報端末と接続する際におけるユーザーの利便性を向上できる。
【００１０】
また、本発明は、前記通信部は、前記出力部情報と共に前記情報端末の利用者を示す利用者情報を取得し、前記生成部は、前記利用者情報を含む前記選択画面を生成する。
本発明によれば、利用者情報を含む選択画面を生成するため、表示部が表示した選択画面が自身の情報端末に関する選択画面であることを容易に認識でき、情報端末と接続する際におけるユーザーの利便性を向上できる。
【００１１】
また、上記課題を解決するために、本発明は、第１入力部と前記第１入力部と異なる第２入力部を含む複数の入力部を有する表示装置の制御方法であって、情報端末が有する出力部に関する出力部情報を取得し、取得した前記出力部情報に基づいて、前記第１入力部を含み前記第２入力部を含まない選択画面を生成し、選択画面を表示する。
本発明によれば、出力部情報に基づいて第１入力部を含み第２入力部を含まない選択画面を生成するため、情報端末と接続する際にどの入力部を選択すればよいのかをユーザーが容易に判断できるようになり、情報端末と接続する際におけるユーザーの利便性を向上できる。
【図面の簡単な説明】
【００１２】
【図１】第１実施形態に係る画像投射システムの概略構成を示す図。
【図２】プロジェクターの構成を示す図。
【図３】端末装置の構成を示す図。
【図４】プロジェクターと端末装置との動作を示すフローチャート。
【図５】ホーム画面の一例を示す図。
【図６】選択画面の一例を示す図。
【図７】第２実施形態に係る画像投射システムの概略構成を示す図。
【図８】プロジェクターと端末装置との動作を示すフローチャート。
【図９】選択画面の一例を示す図。
【発明を実施するための形態】
【００１３】
＜第１実施形態＞
図１は、第１実施形態に係る画像投射システム１の概略構成を示す図である。本実施形態の画像投射システム１は、プロジェクター１００（表示装置）と、端末装置２００（情報端末）とを備える。
【００１４】
プロジェクター１００と端末装置２００とは、後述する処理の実行に際し、無線通信方式によって各種データを送受信可能に構成される。この無線通信方式には、例えば、無線ＬＡＮ（Local Area Network）や、Ｂｌｕｅｔｏｏｔｈ（登録商標）等の近距離無線通信方式を採用できる。
なお、プロジェクター１００と端末装置２００とは、映像信号及び音声信号の少なくともいずれかを送受信する場合、無線通信方式、又は、有線通信方式によって送受信する。
【００１５】
プロジェクター１００は、投射対象に画像光を投写して、投射対象の面に画像データに基づく画像を形成する。プロジェクター１００が画像を投射する投射対象は、平面であっても曲面や凹凸面であってもよいが、本実施形態では、平面で構成されるスクリーンＳＣに投写する場合を例示する。スクリーンＳＣは、壁面等の固定された平面を利用してもよいし、吊り下げ式や立ち上げ式の幕状のスクリーンであってもよい。プロジェクター１００は、画像光を投射する投射開口部１１４（図３参照）が設けられる。投射開口部１１４は、プロジェクター１００に内蔵される投射光学系１１３（図２参照）が光を放射する開口部である。
【００１６】
端末装置２００は、例えば、ノート型ＰＣ（Personal Computer）やデスクトップ型ＰＣ等の装置である。図１では、端末装置２００としてノート型ＰＣを例示している。なお、端末装置２００は、パーソナルコンピューターに限定されず、タブレット端末、スマートフォン、ＰＤＡ（Personal Digital Assistant）等を用いることができる。また、端末装置２００として、ビデオ再生装置、ＤＶＤ（Digital Versatile Disk）プレーヤー、ブルーレイディスクプレーヤー、ハードディスクレコーダー、テレビチューナー装置、ＣＡＴＶ（Cable television）のセットトップボックス、ビデオゲーム機等を用いてもよい。
【００１７】
図２は、プロジェクター１００の構成を示す図である。
【００１８】
プロジェクター１００は、入力インターフェース部１５１を備える。入力インターフェース部１５１は、ケーブルを接続するコネクター及びインターフェース回路（いずれも不図示）の少なくともいずれかを備える。
入力インターフェース部１５１は、端末装置２００から送信される信号を受信する。入力インターフェース部１５１は、受信した信号に含まれる画像データや、同期信号（垂直同期信号及び水平同期信号）を取り出す。入力インターフェース部１５１は、取り出した画像データをフレームメモリー１５３に出力して、フレームメモリー１５３に記憶させ、また、同期信号を画像処理部１５５や、制御部１７０に出力する。画像処理部１５５は、同期信号に同期して画像データに対する処理を行う。また、制御部１７０は、同期信号に基づいて、プロジェクター１００を構成する各部の動作を制御する。
【００１９】
入力インターフェース部１５１のインターフェースは、例えば、以下のインターフェースを用いることができる。
インターフェースとして、ＨＤＭＩ｛登録商標（High-Definition Multimedia Interface）｝や、Ｄｉｓｐｌａｙｐｏｒｔ、ＭＨＬ（Mobile High-definition Link、登録商標）、ＨＤＢａｓｅＴ（登録商標）、Ｔｈｕｎｄｅｒｂｏｌｔ（登録商標）、ＵＳＢ Ｔｙｐｅ−Ｃ、３Ｇ−ＳＤＩ（Serial Digital Interface）等の映像信号及び音声信号をデジタルで伝送可能なインターフェースを用いることができる。また、インターフェースとして、イーサネット（登録商標）、ＩＥＥＥ１３９４、ＵＳＢ等のデータ通信用のインターフェースを用いることができる。また、端末装置２００とプロジェクター１００とにＲＣＡ端子や、ＶＧＡ端子、Ｓ端子、Ｄ端子等のアナログの映像端子を設けて、アナログの映像信号を送受信する構成であってもよい。
【００２０】
本実施形態の入力インターフェース部１５１は、３つのＨＤＭＩインターフェース１５１Ａ（１５Ａ１、１５Ａ２、１５Ａ３）（入力部）を備える。
また、入力インターフェース部１５１は、２つのＤ−Ｓｕｂインターフェース１５１Ｂ（１５Ｂ１、１５Ｂ２）（入力部）を備える。
また、入力インターフェース部１５１は、Ｖｉｄｅｏインターフェース１５１Ｃ（入力部）を備える。
また、入力インターフェース部１５１は、Ｄｉｓｐｌａｙｐｏｒｔインターフェース１５１Ｄ（入力部）を備える。
また、入力インターフェース部１５１は、ＵＳＢインターフェース１５１Ｅ（入力部）を備える。
また、入力インターフェース部１５１は、第１無線通信インターフェース１５１Ｆ（入力部）を備える。
また、入力インターフェース部１５１は、第２無線通信インターフェース１５１Ｇ（入力部）を備える。
以下の説明において、入力インターフェース部１５１が備えるこれらインターフェースを区別することなく総称して示す場合、入力インターフェースＮＦと表現する。
【００２１】
ＨＤＭＩインターフェース１５１Ａ（１５Ａ１、１５Ａ２、１５Ａ３）は、ＨＤＭＩ規格に従ったコネクターやインターフェース回路等を備え、ＨＤＭＩ規格に従って映像信号及び音声信号を有線通信方式で受信するインターフェースである。
Ｄ−Ｓｕｂインターフェース１５１Ｂ（１５Ｂ１、１５Ｂ２）は、Ｄ−Ｓｕｂ規格に従ったコネクターやインターフェース回路等を備え、Ｄ−Ｓｕｂ規格に従って映像信号を受信する有線通信方式で受信するインターフェースである。
Ｖｉｄｅｏインターフェース１５１Ｃは、アナログの映像端子として例えばコンポーネント端子を備え、アナログの映像信号を受信する有線通信方式で受信するインターフェースである。
Ｄｉｓｐｌａｙｐｏｒｔインターフェース１５１Ｄは、所定のＤｉｓｐｌａｙｐｏｒｔ規格に従ったコネクターやインターフェース回路等を備え、Ｄｉｓｐｌａｙｐｏｒｔ規格に従って映像信号及び音声信号を受信する有線通信方式で受信するインターフェースである。
ＵＳＢインターフェース１５１Ｅは、ＵＳＢ規格に従ったコネクターやインターフェース回路等を備え、ＵＳＢ規格に従って映像信号及び音声信号を受信する有線通信方式で受信するインターフェースである。
第１無線通信インターフェース１５１Ｆは、所定の無線通信規格に従って映像信号を無線通信方式で受信するインターフェースであり、第２無線通信インターフェース１５１Ｇとは異なるデバイスドライバーにより実行されるインターフェースである。
第２無線通信インターフェース１５１Ｇは、所定の無線通信規格に従って映像信号を無線通信方式で受信するインターフェースであり、第１無線通信インターフェース１５１Ｆとは異なるデバイスドライバーにより実行されるインターフェースである。
例えば、第１無線通信インターフェース１５１ＦがＭｉｒａｃａｓｔ（登録商標）である場合、第２無線通信インターフェース１５１Ｇは、Ｍｉｒａｃａｓｔ以外のインターフェースである。
【００２２】
プロジェクター１００は、光学的な画像を形成してスクリーンＳＣに投射する投射部１１０（表示部）と、投射部１１０を駆動する駆動部１２０とを備える。投射部１１０は、光源部１１１、光変調装置１１２、及び、投射光学系１１３を備える。また、駆動部１２０は、光源駆動部１２１、光変調装置駆動部１２２、及び、投射光学系駆動部１２３を備える。投射部１１０は、本発明の「表示部」に相当する。
【００２３】
光源部１１１は、キセノンランプ、超高圧水銀ランプ、ＬＥＤ（Light Emitting Diode）又はレーザー光源等の光源を備える。また、光源部１１１は、光源が発した光を光変調装置１１２に導くリフレクター及び補助リフレクターを備えていてもよい。さらに光源部１１１は、投射光の光学特性を高めるためのレンズ群、偏光板、又は光源が発した光の光量を光変調装置１１２に至る経路上で低減させる調光素子等（いずれも不図示）を備えていてもよい。
【００２４】
光源部１１１は、光源駆動部１２１により駆動される。光源駆動部１２１は、バス１８０に接続され、同じくバス１８０に接続された制御部１７０（後述）の制御に従って、光源部１１１の光源を点灯又は消灯させる。
【００２５】
光変調装置１１２は、例えばＲＧＢの三原色に対応した３枚の液晶パネルを備える。光源部１１１が発した光は、ダイクロイックミラーや、反射ミラー、リレーレンズ等（いずれも不図示）によってＲＧＢの３色の色光に分離され、対応する色の液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２６】
光変調装置１１２は、光変調装置駆動部１２２により駆動される。光変調装置駆動部１２２は、バス１８０に接続され、制御部１７０の制御に従って光変調装置１１２を駆動する。
光変調装置駆動部１２２は、画像処理部１５５から入力される画像データに基づいて、液晶パネルを駆動する駆動信号をＲ，Ｇ，Ｂの色ごとに生成する。光変調装置駆動部１２２は、生成したＲ，Ｇ，Ｂの駆動信号に基づいて対応する色の液晶パネルを駆動し、各液晶パネルに画像を描画する。
【００２７】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００２８】
投射光学系１１３は、投射光学系駆動部１２３により駆動される。投射光学系駆動部１２３は、例えば、モーターを備え、制御部１７０の制御に従ってモーターを駆動して、ズームやフォーカスの調整を行う。
【００２９】
プロジェクター１００は、操作部を備える。操作部は、操作パネル１３１、リモコン受光部１３３及び入出力インターフェース部１３５を備える。
【００３０】
ユーザーインターフェースとして機能する操作パネル１３１には、各種の操作キーや、液晶パネルが設けられる。入出力インターフェース部１３５は、操作パネル１３１、リモコン受光部１３３及びバス１８０に接続される。入出力インターフェース部１３５は、操作キーが操作されると、操作された操作キーに対応した操作信号を制御部１７０に出力する。また、入出力インターフェース部１３５は、制御部１７０の制御に従って、液晶パネルに各種の操作画面を表示させる。操作画面には、プロジェクター１００を操作可能な各種ボタンが表示される。
【００３１】
赤外線信号を受光するリモコン受光部１３３は、ユーザーインターフェースとして機能するリモコン５から送信される赤外線信号を受光する。リモコン受光部１３３は、受光した赤外線信号をデコードして、リモコン５における操作内容を示す操作信号を生成し、制御部１７０に出力する。
【００３２】
プロジェクター１００は、撮像部１４０を備える。撮像部１４０は、撮像光学系と、ＣＣＤ（Charge Coupled Device）やＣＭＯＳ（Complementary MOS）等の撮像素子と、インターフェース回路とを備える。撮像素子は、ＸＹＺ三刺激値のうちのＹ（輝度）を測定可能な構成であってもよいし、一般的なＲＧＢの色ごとの色成分を測定可能なものであってもよい。撮像部１４０は、制御部１７０の制御に従って、投射光学系１１３の投射方向を撮像する。
【００３３】
プロジェクター１００は、通信インターフェース部１４５（通信部）を備える。通信インターフェース部１４５は、制御部１７０の制御で所定の無線通信規格に従って、端末装置２００との間で各種データを送受信する。前述した通り、所定の無線通信規格は、例えば、無線ＬＡＮやＢｌｕｅｔｏｏｔｈ等の規格が挙げられる。
【００３４】
プロジェクター１００は、画像処理系を備える。画像処理系は、プロジェクター１００の全体を統括的に制御する制御部１７０を中心に構成され、この他に、フレームメモリー１５３、画像処理部１５５、及び、記憶部１６０を備える。制御部１７０、画像処理部１５５、及び、記憶部１６０は、バス１８０を介して相互に通信可能に接続される。
【００３５】
フレームメモリー１５３は、複数のバンクを備える。各バンクは、画像データの１フレームを書き込み可能な記憶容量をする。フレームメモリー１５３は、例えば、ＳＤＲＡＭ（Synchronous Dynamic Random Access Memory）により構成される。ＳＤＲＡＭは、クロックに同期してデータの読み出し及び書き込みを行うＤＲＡＭである。
【００３６】
画像処理部１５５は、フレームメモリー１５３に展開された画像データに対して、例えば、解像度変換（スケーリング）処理又はリサイズ処理、歪曲収差の補正、形状補正処理、デジタルズーム処理、画像の色合いや輝度の調整等の処理を行う。画像処理部１５５は、制御部１７０により指定された処理を実行し、必要に応じて、制御部１７０から入力されるパラメーターを使用して処理を行う。また、画像処理部１５５は、上記のうち複数の処理を組み合わせて実行することも勿論可能である。
画像処理部１５５は、処理の終了した画像データをフレームメモリー１５３から読み出して光変調装置駆動部１２２に出力する。
【００３７】
記憶部１６０は、例えば、ハードディスク装置等の補助記憶装置である。記憶部１６０は、フラッシュメモリーやＥＥＰＲＯＭ（Electrically Erasable Programmable ROM）等の半導体メモリーや、ＣＤ（Compact Disc）、ＤＶＤ（Digital Versatile Disc）、ＢＤ（Blu-ray（登録商標） Disc）等の光ディスクにより代替可能である。記憶部１６０は、制御部１７０が実行する制御プログラムや、画像処理部１５５が実行する画像処理に使用するパラメーター等の各種データを記憶する。また、記憶部１６０は、画像データを記憶する。プロジェクター１００は、記憶部１６０から画像データを読み出して画像処理し、処理後の画像データを投射部１１０によりスクリーンＳＣに投射する。
【００３８】
制御部１７０は、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや記憶部１６０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００３９】
本実施形態は、制御部１７０が一つのプロセッサー（ＣＰＵ）を備え、このプロセッサーが制御プログラムに従った処理を実行することで制御部１７０の機能を実現するが、複数のプロセッサー又は半導体チップにより制御部１７０の機能を実現してもよい。例えば、制御部１７０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部１７０は、ＣＰＵ及び副処理装置の双方を協働させるか、あるいは双方のうちの一方を選択的に用いて各種の制御を行ってもよい。
【００４０】
制御部１７０は、機能ブロックとして、投射制御部１７１、及び、生成部１７２を備える。これらの機能ブロックは、ＣＰＵが制御プログラムに従って演算処理を実行することで実現される機能をブロックとして便宜的に示したものであり、特定のアプリケーションソフトウェアやハードウェアを示すものではない。
【００４１】
投射制御部１７１は、画像処理部１５５や駆動部１２０を制御して、スクリーンＳＣに画像を投射させる。具体的には、投射制御部１７１は、画像処理部１５５を制御して、フレームメモリー１５３に展開された画像データを画像処理部１５５に処理させる。この際、投射制御部１７１は、画像処理部１５５が処理に必要なパラメーターを記憶部１６０から読み出して画像処理部１５５に出力する。
【００４２】
また、投射制御部１７１は、光源駆動部１２１を制御して光源部１１１の光源を点灯させ、また、点灯させた光源の輝度を調整させる。さらに、投射制御部１７１は、光変調装置駆動部１２２を制御して光変調装置１１２の液晶パネルに画像を描画させる。また、投射制御部１７１は、投射光学系駆動部１２３を制御してモーターを駆動させ、投射光学系１１３のズームやフォーカスを調整する。
【００４３】
生成部１７２は、選択画面ＳＧ（図６、図９参照）を示す画像データを生成する。選択画面ＳＧについては、後に詳述する。本実施形態では、選択画面ＳＧを示す画像データを生成することは、選択画面ＳＧを生成することに相当する。生成部１７２は、生成した選択画面ＳＧを示す画像データを、投射制御部１７１に出力する。そして、投射制御部１７１は、画像処理部１５５や駆動部１２０を制御して、選択画面ＳＧを投射させる。
【００４４】
図３は、端末装置２００の構成を示す図である。
【００４５】
端末装置２００は、端末装置２００の各部を制御する端末制御部２０を備える。端末制御部２０は、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや端末記憶部３０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００４６】
端末制御部２０は、機能ブロックとして、通信制御部２１、及び、出力情報生成部２２を備える。これらの機能ブロックは、ＣＰＵが制御プログラムに従って演算処理を実行することで実現される機能をブロックとして便宜的に示したものであり、特定のアプリケーションソフトウェアやハードウェアを示すものではない。通信制御部２１、及び、出力情報生成部２２については、後に説明する。
【００４７】
端末装置２００は、端末記憶部３０を備える。端末記憶部３０は、フラッシュメモリーやＥＥＰＲＯＭ等の不揮発性の記憶装置により構成され、各種データを不揮発的に記憶する。また、端末記憶部３０は、専用アプリケーションプログラムＳＡ（以下、「専用アプリＳＡ」と表現する）を記憶する。専用アプリＳＡは、ＣＰＵにより実行されることで、端末制御部２０がソフトウェアとハードウェアとの協働により通信制御部２１及び出力情報生成部２２として機能するためのアプリケーションプログラムである。また、端末記憶部３０は、利用者情報ＲＪを記憶する。利用者情報ＲＪは、端末装置２００を利用する利用者を識別するための識別情報である。利用者情報ＲＪとしては、例えば、端末装置２００がある会社が所有する端末装置２００である場合、この会社に属する社員に割り当てられた社員番号が挙げられる。また、他の利用者情報ＲＪとしては、端末装置２００を所有する所有者の名称や、専用アプリＳＡを立ち上げる際にユーザーＩＤを入力する場合、このユーザーＩＤ等が挙げられる。
【００４８】
端末装置２００は、端末通信インターフェース部４０を備える。端末通信インターフェース部４０は、端末制御部２０によって制御され、プロジェクター１００との間で上述した無線通信方式に従って各種データを送受信する。
【００４９】
端末装置２００は、端末表示部５０を備える。端末表示部５０は、表示パネルを備え、端末制御部２０の制御で、表示パネルに各種情報を表示する。
【００５０】
端末装置２００は、端末入力部６０を備える。端末入力部６０は、キーボード、マウス、その他の入力手段を備え、入力手段に対するユーザーの操作を検出して、操作に基づく操作情報を生成し、操作情報を端末制御部２０に出力する。端末制御部２０は、端末入力部６０からの操作情報に基づいて、入力手段に対するユーザーの操作に対応する処理を実行する。
【００５１】
端末装置２００は、出力インターフェース部７０を備える。出力インターフェース部７０は、ケーブルを接続するコネクター、及び、インターフェース回路（いずれも不図示）の少なくともいずれかを備える。出力インターフェース部７０は、プロジェクター１００に信号を送信する。
【００５２】
出力インターフェース部７０のインターフェースには、例えば、上述した入力インターフェース部１５１と同様のインターフェースを用いることができる。本実施形態の出力インターフェース部７０は、ＨＤＭＩインターフェース７１（出力部）、第１無線通信インターフェース７２（出力部）、及び、第２無線通信インターフェース７３（出力部）を備える。
以下の説明において、出力インターフェース部７０が備えるこれらインターフェースを区別することなく総称して示す場合、出力インターフェースＳＦと表現する。
【００５３】
ＨＤＭＩインターフェース７１は、ＨＤＭＩインターフェース１５１Ａと同種のインターフェースであり、ＨＤＭＩ規格に従ったコネクターやインターフェース回路等を備える。ＨＤＭＩインターフェース７１は、ＨＤＭＩ規格に従って映像信号及び音声信号を有線通信方式で送信する。
第１無線通信インターフェース７２は、第１無線通信インターフェース１５１Ｆと同種のインターフェースであり、第２無線通信インターフェース７３とは異なるデバイスドライバーにより実行されるインターフェースである。第１無線通信インターフェース７２は、所定の無線通信規格に従って映像信号を無線通信方式で送信する。
第２無線通信インターフェース７３は、第２無線通信インターフェース１５１Ｇと同種のインターフェースであり、第１無線通信インターフェース７２とは異なるデバイスドライバーにより実行されるインターフェースである。第２無線通信インターフェース７３は、所定の無線通信規格に従って映像信号を無線通信方式で送信する。
例えば、第１無線通信インターフェース７２がＭｉｒａｃａｓｔである場合、第２無線通信インターフェース７３は、Ｍｉｒａｃａｓｔ以外のインターフェースである。
【００５４】
次に、端末制御部２０が備える通信制御部２１、及び、出力情報生成部２２について説明する。
【００５５】
通信制御部２１は、端末通信インターフェース部４０を制御して、プロジェクター１００と無線通信を行う。通信制御部２１は、プロジェクター１００との通信を開始する場合に、プロジェクター１００が備える通信インターフェース部１４５との間で接続を確立するための所定の処理を実行する。また、通信制御部２１は、出力情報生成部２２が生成する出力インターフェース情報（出力部情報）をプロジェクター１００に送信する。通信制御部２１は、プロジェクター１００に出力インターフェース情報を送信する際に、端末記憶部３０が記憶する利用者情報ＲＪを併せて送信する。
【００５６】
出力情報生成部２２は、出力インターフェース情報を生成する。出力インターフェース情報は、端末装置２００が有する出力インターフェースＳＦに関する情報である。出力情報生成部２２は、出力インターフェースＳＦに関する情報として、例えば、出力インターフェースＳＦの種類を示す情報等の出力インターフェースＳＦを示す情報を生成する。
【００５７】
次に、プロジェクター１００と端末装置２００との動作について説明する。
図４は、プロジェクター１００と端末装置２００との動作を示すフローチャートである。図４においてフローチャートＦＡは、プロジェクター１００の動作を示す。また、図４においてフローチャートＦＢは、端末装置２００の動作を示す。
【００５８】
図４のフローチャートＦＡに示すように、プロジェクター１００の制御部１７０の投射制御部１７１は、ホーム画面ＨＧ（図５参照）を投射するトリガーが発生したか否かを判別する（ステップＳＡ１）。ホーム画面ＨＧについては、後述する。例えば、投射制御部１７１は、プロジェクター１００に電源が投入された場合、ホーム画面ＨＧを投射するトリガーが発生したと判別する（ステップＳＡ１：ＹＥＳ）。また、例えば、投射制御部１７１は、プロジェクター１００の動作モードが省電力モードから光源を点灯させる通常モードに移行した場合、ホーム画面ＨＧを投射するトリガーが発生したと判別する（ステップＳＡ１：ＹＥＳ）。
【００５９】
投射制御部１７１は、ホーム画面ＨＧを投射するトリガーが発生したと判別した場合（ステップＳＡ１：ＹＥＳ）、画像処理部１５５や駆動部１２０を制御して、ホーム画面ＨＧをスクリーンＳＣに投射する（ステップＳＡ２）。
【００６０】
図５は、ホーム画面ＨＧの一例を示す図である。
図５に示すように、ホーム画面ＨＧは、入力インターフェース部１５１が備える全ての入力インターフェースＮＦについて、入力インターフェースＮＦを示すインターフェース情報ＩＪを含む。すなわち、ホーム画面ＨＧは、ＨＤＭＩ１インターフェース１５Ａ１を示すインターフェース情報ＩＪ１、ＨＤＭＩ２インターフェース１５Ａ２を示すインターフェース情報ＩＪ２、ＨＤＭＩ３インターフェース１５Ａ３を示すインターフェース情報ＩＪ３、Ｄ−Ｓｕｂ１インターフェース１５Ｂ１を示すインターフェース情報ＩＪ４、Ｄ−Ｓｕｂ２インターフェース１５Ｂ２を示すインターフェース情報ＩＪ５、Ｖｉｄｅｏインターフェース１５１Ｃを示すインターフェース情報ＩＪ６、Ｄｉｓｐｌａｙｐｏｒｔインターフェース１５１Ｄを示すインターフェース情報ＩＪ７、ＵＳＢインターフェース１５１Ｅを示すインターフェース情報ＩＪ８、第１無線通信インターフェース１５１Ｆを示すインターフェース情報ＩＪ９、及び、第２無線通信インターフェース１５１Ｇを示すインターフェース情報ＩＪ１０を含む。なお、本実施形態では、ホーム画面ＨＧが情報（インターフェース情報ＩＪも含む）を含むとは、ホーム画面ＨＧが情報を表示するのと同意とする。
【００６１】
インターフェース情報ＩＪのそれぞれは、リモコン５や操作パネル１３１等の操作により選択可能にホーム画面ＨＧに含まれる。投射制御部１７１は、ホーム画面ＨＧにおいて１のインターフェース情報ＩＪが選択されると、端末装置２００から少なくとも映像信号が入力される入力インターフェースＮＦを、選択されたインターフェース情報ＩＪが示す入力インターフェースＮＦに設定する。
【００６２】
なお、図５に示すホーム画面ＨＧは、インターフェース情報ＩＪのみ含む画面であるが、他の情報を含んでいてもよい。
【００６３】
図４の説明に戻り、フローチャートＦＢに示すように、端末装置２００の端末制御部２０の通信制御部２１は、出力インターフェース情報を送信するトリガーが発生したか否かを判別する（ステップＳＢ１）。例えば、通信制御部２１は、専用アプリＳＡが立ち上がった場合、出力インターフェース情報を送信するトリガーが発生したと判別する（ステップＳＢ１：ＹＥＳ）。また、例えば、通信制御部２１は、所定の周期が経過した場合に、出力インターフェース情報を送信するトリガーが発生したと判別する（ステップＳＢ１：ＹＥＳ）。
【００６４】
通信制御部２１が出力インターフェース情報を送信するトリガーが発生したと判別した場合（ステップＳＢ１：ＹＥＳ）、出力情報生成部２２は、出力インターフェース情報を生成する（ステップＳＢ２）。本実施形態において出力インターフェースＳＦは、ＨＤＭＩインターフェース７１、第１無線通信インターフェース７２、及び、第２無線通信インターフェース７３である。したがって、出力情報生成部２２は、出力インターフェースＳＦに関する情報として、ＨＤＭＩインターフェース７１、第１無線通信インターフェース７２、及び、第２無線通信インターフェース７３を示す情報を少なくとも含む出力インターフェース情報を生成する。
【００６５】
次いで、出力情報生成部２２が出力インターフェース情報を生成すると、通信制御部２１は、端末通信インターフェース部４０を制御して、出力情報生成部２２が生成した出力インターフェース情報と、端末記憶部３０が記憶する利用者情報ＲＪとを送信する（ステップＳＢ３）。
【００６６】
図４のフローチャートＦＢに示すように、プロジェクター１００の制御部１７０の生成部１７２は、通信インターフェース部１４５により、端末装置２００から出力インターフェース情報と利用者情報ＲＪとを受信したか否かを判別する（ステップＳＡ３）。なお、プロジェクター１００が出力インターフェース情報及び利用者情報ＲＪを受信することは、プロジェクター１００が出力インターフェース情報及び利用者情報ＲＪを取得することに相当する。
【００６７】
生成部１７２が、端末装置２００から出力インターフェース情報と利用者情報ＲＪとを受信していないと判別した場合（ステップＳＡ３：ＮＯ）、投射制御部１７１は、ホーム画面ＨＧの投射を継続する。
【００６８】
一方で、端末装置２００から出力インターフェース情報と利用者情報ＲＪとを受信したと判別した場合（ステップＳＡ３：ＹＥＳ）、生成部１７２は、出力インターフェース情報が示す出力インターフェースＳＦと同種の入力インターフェースＮＦを、入力インターフェース部１５１から特定する（ステップＳＡ４）。なお、出力インターフェースＳＦと同種の入力インターフェースＮＦとは、出力インターフェースＳＦと、通信規格が同じである入力インターフェースＮＦや、通信プロトコルが同じである入力インターフェースＮＦ等の入力インターフェースＮＦを示す。
【００６９】
次いで、生成部１７２は、出力インターフェースＳＦと同種の入力インターフェースＮＦが有ったか否かを判別する（ステップＳＡ５）。生成部１７２が出力インターフェースＳＦと同種の入力インターフェースＮＦが無いと判別した場合（ステップＳＡ５：ＮＯ）、制御部１７０は、対応する処理を実行する（ステップＳＡ６）。例えば、制御部１７０は、対応する処理として、出力インターフェースＳＦと同種の入力インターフェースＮＦが無いとを示す情報を報知する。
【００７０】
一方で、生成部１７２は、出力インターフェースＳＦと同種の入力インターフェースＮＦが有ると判別した場合（ステップＳＡ５：ＹＥＳ）、入力インターフェース部１５１が備える入力インターフェースＮＦのうち、出力インターフェースＳＦと同種の入力インターフェースＮＦを含み、出力インターフェースＳＦと異種の入力インターフェースＮＦを含まない選択画面ＳＧを生成する（ステップＳＡ７）。以下の説明において、出力インターフェースＳＦと同種の入力インターフェースＮＦを同種インターフェース（第１入力部）と表現し、出力インターフェースＳＦと異種の入力インターフェースＮＦを異種インターフェース（第２入力部）と表現する。
【００７１】
前述した通り、ＨＤＭＩインターフェース１５１ＡとＨＤＭＩインターフェース７１とは同種であり、第１無線通信インターフェース１５１Ｆと第１無線通信インターフェース７２とは同種であり、第２無線通信インターフェース１５１Ｇと第２無線通信インターフェース７３とは同種である。そのため、生成部１７２は、ＨＤＭＩインターフェース１５１Ａ、第１無線通信インターフェース１５１Ｆ、及び、第２無線通信インターフェース１５１Ｇを含み、他の入力インターフェースＮＦを含まない選択画面ＳＧを生成する。ここで、入力インターフェースＮＦを含む、又は、含まないとは、入力インターフェースＮＦを示すインターフェース情報ＩＪを含む、又は、含まないに相当する。なお、本実施形態では、選択画面ＳＧが情報（インターフェース情報ＩＪも含む）を含むとは、選択画面ＳＧが情報を表示するのと同意とする。
【００７２】
図６は、生成部１７２が生成した選択画面ＳＧの一例を示す図である。
選択画面ＳＧは、同種インターフェースを示すインターフェース情報ＩＪを含み、異種インターフェースを示すインターフェース情報ＩＪを含まない。すなわち、選択画面ＳＧは、ＨＤＭＩインターフェース１５１Ａを示すインターフェース情報ＩＪ１１と、第１無線通信インターフェース１５１Ｆを示すインターフェース情報ＩＪ９と、第２無線通信インターフェース１５１Ｇを示すインターフェース情報ＩＪ１０とを含む。なお、インターフェース情報ＩＪ１１は、インターフェース情報ＩＪ１、ＩＪ２、ＩＪ３をまとめて明示するインターフェース情報ＩＪである。選択画面ＳＧは、インターフェース情報ＩＪ１、ＩＪ２、ＩＪ３のそれぞれを含んでもよい。
【００７３】
選択画面ＳＧが含むインターフェース情報ＩＪのそれぞれは、ホーム画面ＨＧが含むインターフェース情報ＩＪと同様に、リモコン５や操作パネル１３１等の操作により選択可能にホーム画面ＨＧに含まれる。投射制御部１７１は、選択画面ＳＧにおいて１のインターフェース情報ＩＪが選択されると、端末装置２００から少なくとも映像信号が入力されるインターフェースを、選択されたインターフェース情報ＩＪが示すインターフェースに設定する。
【００７４】
また、選択画面ＳＧは、利用者情報ＲＪをユーザーが認識可能な態様で含む。図６では、選択画面ＳＧは、「利用者Ａ」を示す利用者情報ＲＪを含む。
【００７５】
また、選択画面ＳＧは、異種インターフェースを含む画面に遷移するためのボタンＢ１を含む。ボタンＢ１は、選択可能に構成される。投射制御部１７１は、選択画面ＳＧにおいてボタンＢ１が選択されると、異種インターフェースを示すインターフェース情報ＩＪを含む画面をスクリーンＳＣに投射する。
【００７６】
図４のフローチャートＦＢの説明に戻り、生成部１７２が選択画面ＳＧを生成すると、投射制御部１７１は、選択画面ＳＧをスクリーンＳＣに投射する（ステップＳＡ８）。
【００７７】
このように、生成部１７２は、同種インターフェースを示すインターフェース情報ＩＪを含み異種インターフェースを示すインターフェース情報ＩＪを含まない選択画面ＳＧを生成する。そして、投射制御部１７１は、生成部１７２が生成した選択画面ＳＧを投射する。このように、プロジェクター１００が入力インターフェースＮＦを絞った選択画面ＳＧを投射するため、ユーザーは、端末装置２００とプロジェクター１００とを接続する際に、どの入力インターフェースＮＦを選択すればよいのかを容易に判断できる。したがって、ユーザーの利便性が向上する。特に、選択画面ＳＧは、端末装置２００と接続できる入力インターフェースＮＦを含んでいる。そのため、ユーザーは、端末装置２００と接続できる入力インターフェースＮＦがどの入力インターフェースＮＦであるかを容易に判断できる。
【００７８】
一般に、有線通信方式の入力インターフェースＮＦは、プロジェクター１００の筐体に規格に準じたコネクターが設けられる。一方で、無線通信方式の入力インターフェースＮＦは、規格に準じたコネクターが設けられない。そのため、ユーザーは、プロジェクター１００を視認することで有線通信方式の入力インターフェースＮＦの有無について判断できるが、無線通信方式の入力インターフェースＮＦの有無については判断が難しい場合がある。しかしながら、生成部１７２が上述した選択画面ＳＧを生成することにより、ユーザーは、端末装置２００と接続可能な無線通信方式の入力インターフェースＮＦの有無を、容易に判断できる。また、無線通信方式の入力インターフェースＮＦでも種類が異なれば異なるインターフェース情報ＩＪとして選択画面ＳＧに含まれるため、ユーザーは、無線通信方式の入力インターフェースＮＦの種類ごとに、端末装置２００と接続可能か否かを容易に判断できる。
【００７９】
また、生成部１７２は、利用者情報ＲＪを含む選択画面ＳＧを生成する。そして、投射制御部１７１は、この選択画面ＳＧを投射する。これにより、ユーザーは、投射された選択画面ＳＧが自身の端末装置２００に関する選択画面ＳＧであることを容易に判断できる。
【００８０】
以上では、端末装置２００が、出力インターフェース部７０が備える全ての出力インターフェースＳＦを示す出力インターフェース情報をプロジェクター１００に送信する動作を説明した。しかしながら、出力インターフェース情報が示す出力インターフェースＳＦは、出力インターフェース部７０が備える全てでなく、一部でもよい。このことについて、複数の例を挙げて説明する。
【００８１】
＜第１の例＞
まず、第１の例について説明する。第１の例では、図４に示す各フローチャートに沿って説明するが、適宜、各処理について省略又は簡略して説明する。
【００８２】
第１の例において、端末装置２００は、ユーザーがプロジェクター１００との接続に使用したいとする出力インターフェースＳＦを、ユーザーが設定可能に構成される。例えば、端末装置２００の端末制御部２０は、専用アプリＳＡの機能により、この設定を行うためのユーザーインターフェースを端末表示部５０により表示し、ユーザーによるユーザーが使用したいとする出力インターフェースＳＦの設定を受け付ける。具体的には、端末装置２００は、ユーザーの操作を検出し、検出された操作に基づいて出力インターフェース情報に含む出力インターフェースＳＦの設定を行う。より具体的には、端末入力部６０が、ユーザーがプロジェクター１００との接続に使用したい出力インターフェースＳＦを設定する操作を検出して、操作に基づく操作情報を生成し、操作情報を端末制御部２０に出力する。そして、この操作情報に基づいて端末制御部２０の出力情報生成部２２は、設定された出力インターフェースＳＦを示す出力インターフェース情報を生成する。
【００８３】
端末制御部２０の出力情報生成部２２は、ステップＳＢ１においてトリガーが発生したと判別した場合（ステップＳＢ１：ＹＥＳ）、ユーザーにより設定された出力インターフェースＳＦを示す出力インターフェース情報を生成する（ステップＳＢ２）。例えば、ユーザーがプロジェクター１００との接続に選択したいとする出力インターフェースＳＦとしてＨＤＭＩインターフェース７１を設定している場合、出力情報生成部２２は、ＨＤＭＩインターフェース１５１Ａのみ示す出力インターフェース情報を生成する。そして、端末制御部２０の通信制御部２１は、出力情報生成部２２が生成した出力インターフェース情報と、利用者情報ＲＪとをプロジェクター１００に送信する。
【００８４】
プロジェクター１００の生成部１７２は、同種インターフェースがあると判別した場合（ステップＳＡ５：ＹＥＳ）、同種インターフェースを示すインターフェース情報ＩＪを含み、異種インターフェースを示すインターフェース情報ＩＪを含まない選択画面ＳＧを生成する（ステップＳＡ７）。例えば、ＨＤＭＩインターフェース７１のみを示す出力インターフェース情報を受信した場合、生成部１７２は、同種インターフェースがあると判別し（ステップＳＡ５：ＹＥＳ）、ＨＤＭＩインターフェース１５１Ａを示すインターフェース情報ＩＪを含み、他のインターフェース情報ＩＪを含まない選択画面ＳＧを生成する（ステップＳＡ７）。そして、投射制御部１７１は、生成部１７２が生成した選択画面ＳＧをスクリーンＳＣに投射する（ステップＳＡ８）。
【００８５】
このように、端末装置２００は、ユーザーにより出力インターフェースＳＦを出力インターフェース情報に設定可能に構成される。すなわち、端末装置２００は、プロジェクター１００と接続に使用する出力インターフェースＳＦを、ユーザーが設定可能に構成される。生成部１７２は、ユーザーにより設定された出力インターフェースＳＦと同種の入力インターフェースＮＦをプロジェクター１００が有する場合、この出力インターフェースＳＦを示すインターフェース情報ＩＪを含む選択画面ＳＧを生成する。これにより、プロジェクター１００は、ユーザーが設定した出力インターフェースＳＦと接続できる入力インターフェースＮＦをユーザーに提示できる。そのため、ユーザーは、複数の入力インターフェースＮＦから使用したいとする入力インターフェースＮＦを容易に選択できる。さらに、ユーザーは、ユーザーが使用したいとする入力インターフェースＮＦをプロジェクター１００が有しているかを容易に判断できる。したがって、プロジェクター１００は、端末装置２００と接続する際におけるユーザーの利便性を向上できる。
【００８６】
＜第２の例＞
まず、第２の例について説明する。第２の例でも、図４に示す各フローチャートに沿って説明するが、適宜、各処理について省略又は簡略して説明する。
【００８７】
第２の例において、端末装置２００は、利用頻度が最も高い出力インターフェースＳＦを設定する。例えば、端末装置２００の端末制御部２０は、専用アプリＳＡの機能により、出力インターフェース部７０が備える出力インターフェースＳＦのそれぞれについて利用回数を積算的にカウントする。
【００８８】
端末制御部２０の出力情報生成部２２は、ステップＳＢ１においてトリガーが発生したと判別した場合（ステップＳＢ１：ＹＥＳ）、カウントした利用回数が最も高い出力インターフェースＳＦを利用頻度が最も高い出力インターフェースＳＦとして、この出力インターフェースＳＦのみを示す出力インターフェース情報を生成する（ステップＳＢ２）。例えば、カウントした利用回数が最も高い出力インターフェースＳＦが第２無線通信インターフェース７３である場合、出力情報生成部２２は、第２無線通信インターフェース７３のみを示す出力インターフェース情報を生成する。そして、端末制御部２０の通信制御部２１は、出力情報生成部２２が生成した出力インターフェース情報と、利用者情報ＲＪとをプロジェクター１００に送信する。
【００８９】
プロジェクター１００の生成部１７２は、同種インターフェースがあると判別した場合（ステップＳＡ５：ＹＥＳ）、同種インターフェースを示すインターフェース情報ＩＪを含み、異種インターフェースを示すインターフェース情報ＩＪを含まない選択画面ＳＧを生成する（ステップＳＡ７）。例えば、第２無線通信インターフェース７３のみを示す出力インターフェース情報を受信した場合、生成部１７２は、同種インターフェースがあると判別し（ステップＳＡ５：ＹＥＳ）、第２無線通信インターフェース１５１Ｇを示すインターフェース情報ＩＪ１０を含み、他のインターフェース情報ＩＪを含まない選択画面ＳＧを生成する（ステップＳＡ７）。そして、投射制御部１７１は、生成部１７２が生成した選択画面ＳＧをスクリーンＳＣに投射する（ステップＳＡ８）。
【００９０】
このように、端末装置２００は、利用頻度が最も高い出力インターフェースＳＦを出力インターフェース情報に設定可能に構成される。生成部１７２は、利用頻度が最も高い出力インターフェースＳＦと同種の入力インターフェースＮＦをプロジェクター１００が有する場合、この出力インターフェースＳＦを示すインターフェース情報ＩＪを含む選択画面ＳＧを生成する。これにより、プロジェクター１００は、利用頻度が高い出力インターフェースＳＦと接続できる入力インターフェースＮＦをユーザーに提示できる。そのため、ユーザーは、複数の入力インターフェースＮＦから、利用頻度が最も高い出力インターフェースＳＦと接続できる入力インターフェースＮＦを容易に選択できる。さらに、ユーザーは、利用頻度の高い出力インターフェースＳＦと接続できる入力インターフェースＮＦをプロジェクター１００が有しているかを容易に判断できる。したがって、プロジェクター１００は、端末装置２００と接続する際におけるユーザーの利便性が向上する。
【００９１】
なお、利用頻度が最も高い出力インターフェースＳＦとして、総利用回数が最も高い出力インターフェースＳＦを例示した。しかしながら、利用頻度が最も高い出力インターフェースＳＦは、所定期間に利用された利用回数が最も高い出力インターフェースＳＦとしてもよい。
【００９２】
以上、説明したように、プロジェクター１００（表示装置）は、複数の入力インターフェースＮＦ（入力部）を備える。プロジェクター１００は、通信インターフェース部１４５（通信部）と、通信インターフェース部１４５により取得した、端末装置２００（情報端末）が有する出力インターフェースＳＦ（出力部）に関する出力インターフェース情報（出力部情報）に基づいて、選択画面ＳＧを生成する生成部１７２と、選択画面ＳＧを投射（表示）する投射部１１０（表示部）とを備える。生成部１７２は、出力インターフェース情報に基づいて、同種インターフェース（第１入力部）を含み異種インターフェース（第２入力部）を含まない選択画面ＳＧを生成する。
【００９３】
この構成によれば、同種インターフェースを含み異種インターフェースを含まない選択画面ＳＧを生成するため、端末装置２００と接続する際にどの入力インターフェースＮＦを選択すればよいのかをユーザーが容易に判断できるようになる。したがって、プロジェクター１００は、端末装置２００と接続する際におけるユーザーの利便性を向上できる。
【００９４】
また、生成部１７２は、出力インターフェースＳＦと接続できる入力インターフェースＮＦを同種インターフェースとし、出力インターフェースＳＦと接続できない入力インターフェースＮＦを異種インターフェースとして、同種インターフェースを含み異種インターフェースを含まない選択画面ＳＧを生成する。
【００９５】
この構成によれば、端末装置２００と接続できる入力インターフェースＮＦがどの入力インターフェースＮＦであるかをユーザーが容易に判断できるようになり、端末装置２００と接続する際におけるユーザーの利便性を向上できる。
【００９６】
また、端末装置２００は、ユーザーにより出力インターフェースＳＦを出力インターフェース情報に設定可能に構成される。生成部１７２は、プロジェクター１００が出力インターフェース情報に設定された出力インターフェースＳＦと接続できる入力インターフェースＮＦをプロジェクター１００が有する場合、この入力インターフェースＮＦを同種インターフェースとして、選択画面ＳＧを生成する。
【００９７】
この構成によれば、プロジェクター１００は、ユーザーが設定した出力インターフェースと接続できる入力インターフェースＮＦをユーザーに提示できる。そのため、ユーザーは、複数の入力インターフェースＮＦから使用したいとする入力インターフェースＮＦを容易に選択できる。さらに、ユーザーは、使用したいとする入力インターフェースＮＦをプロジェクター１００が有しているかを容易に判断できる。したがって、プロジェクター１００は、端末装置２００と接続する際におけるユーザーの利便性を向上できる。
【００９８】
また、端末装置２００は、利用頻度が最も高い出力インターフェースＳＦを出力インターフェース情報に設定可能に構成される。生成部１７２は、出力インターフェース情報に設定された出力インターフェースＳＦと接続できる入力インターフェースＮＦをプロジェクター１００が有する場合、この入力インターフェースＮＦを同種インターフェースとして、選択画面ＳＧを生成する。
【００９９】
この構成によれば、プロジェクター１００は、利用頻度が高い出力インターフェースＳＦと接続できる入力インターフェースＮＦをユーザーに提示できる。そのため、ユーザーは、複数の入力インターフェースＮＦから、利用頻度が最も高い出力インターフェースＳＦと接続できる入力インターフェースＮＦを容易に選択できる。さらに、ユーザーは、利用頻度の高い出力インターフェースＳＦと接続できる入力インターフェースＮＦをプロジェクター１００が有しているかを容易に判断できる。したがって、プロジェクター１００は、端末装置２００と接続する際におけるユーザーの利便性が向上する。
【０１００】
また、通信インターフェース部１４５は、出力インターフェース情報と共に利用者情報ＲＪを取得する。そして、生成部１７２は、利用者情報ＲＪを含む選択画面ＳＧを生成する。これにより、ユーザーは、投射された選択画面ＳＧが自身の端末装置２００に関する選択画面ＳＧであることを容易に判断できる。
【０１０１】
＜第２実施形態＞
図７は、第２実施形態に係る画像投射システム１の概略構成を示す図である。
【０１０２】
図７の説明において、図１に示す画像投射システム１の構成要素と同様の構成要素については、同一の符号を付し、その詳細な説明を省略する。
【０１０３】
図７と図１とを比較して明らかな通り、第２実施形態に係る画像投射システム１は、１のプロジェクター１００と複数の端末装置２００とが通信する。図７では、端末装置２００Ａ、２００Ｂ、２００Ｃがプロジェクター１００と通信する。図７は、端末装置２００Ａ、２００Ｂ、２００Ｃのそれぞれがプロジェクター１００と通信し、上述したように選択画面ＳＧを投射する場合の通信態様を示している。
【０１０４】
以下の説明では、端末装置２００Ａ、２００Ｂ、２００Ｃを区別することなく総称して示す場合、端末装置２００と表現する。また、以下の説明では、端末装置２００Ａの利用者を「利用者Ａ」と呼び、端末装置２００Ｂの利用者を「利用者Ｂ」と呼び、端末装置２００Ｃの利用者を「利用者Ｃ」と呼ぶ。
【０１０５】
第２実施形態では、プロジェクター１００と端末装置２００との構成は、第１実施形態と同様であるため、その詳細な説明を省略する。
【０１０６】
図７のように、プロジェクター１００は、複数の端末装置２００と通信し選択画面ＳＧを投射する場合、以下に示す動作を実行する。
【０１０７】
図８は、第２実施形態に係るプロジェクター１００と端末装置２００との動作を示すフローチャートである。図８において、フローチャートＦＣは、プロジェクター１００の動作を示す。また、図８において、フローチャートＦＤは、端末装置２００の動作を示す。
【０１０８】
図８のフローチャートＦＣにおいて、図４のフローチャートＦＡと同一のステップについては、同一のステップ番号を付し、その詳細な処理の説明を省略する。また、図８のフローチャートＦＤにおいて、図４のフローチャートＦＢと同一のステップについては、同一のステップ番号を付し、その詳細な処理の説明を省略する。
【０１０９】
図８の説明では、プロジェクター１００が、複数の端末装置２００から出力インターフェース情報と利用者情報ＲＪとを受信することを前提とする。
【０１１０】
プロジェクター１００の制御部１７０の生成部１７２は、通信インターフェース部１４５により端末装置２００から出力インターフェース情報と利用者情報ＲＪとを受信したと判別すると（ステップＳＡ３：ＹＥＳ）、ステップＳＣ１の処理を実行する。プロジェクター１００が、複数の端末装置２００から出力インターフェース情報と利用者情報ＲＪとを受信すると、端末装置２００ごとに出力インターフェース情報と利用者情報ＲＪとの組み合わせを、記憶部１６０等に記憶する。
【０１１１】
次いで、生成部１７２は、複数の、出力インターフェース情報と利用者情報ＲＪとの組み合わせの中から、ステップＳＡ４〜ステップＳＡ７の処理を実行する対象の組み合わせを特定する（ステップＳＣ１）。そして、生成部１７２は、ステップＳＣ１で特定した組み合わせに基づいて、ステップＳＡ４〜ステップＳＡ７の処理を実行し、選択画面ＳＧを生成する。例えば、ステップＳＣ１で特定した組み合わせが端末装置２００Ａから受信した情報の組み合わせである場合、生成部１７２は、端末装置２００Ａとプロジェクター１００とに関する選択画面ＳＧを生成する。
【０１１２】
生成部１７２は、ステップＳＣ１において特定した組み合わせに基づいて選択画面ＳＧを生成すると（ステップＳＡ７）、出力インターフェース情報と利用者情報ＲＪとの組み合わせの全てについて、選択画面ＳＧを生成したか否かを判別する（ステップＳＣ３）。例えば、端末装置２００Ａから受信した出力インターフェース情報と利用者情報ＲＪとに基づいて選択画面ＳＧを生成し、他の端末装置２００については選択画面ＳＧを生成していない場合、生成部１７２は、否定判別を実行する。そして、生成部１７２は、処理をステップＳＣ１に戻し、端末装置２００Ｂ、又は、端末装置２００Ｃのいずれかから受信した出力インターフェース情報と利用者情報ＲＪとの組み合わせに基づいて選択画面ＳＧを生成する。このように、生成部１７２は、端末装置２００ごとに選択画面ＳＧを生成する。
【０１１３】
生成部１７２は、出力インターフェース情報と利用者情報ＲＪとの組み合わせの全てについて、選択画面ＳＧを生成したと判別した場合（ステップＳＣ２：ＹＥＳ）、端末装置２００ごとに生成した選択画面ＳＧを投射する（ステップＳＣ３）。投射の態様は、図９のようになる。
【０１１４】
図９は、選択画面ＳＧの一例を示す図である。特に、図９は、複数の端末装置２００から出力インターフェース情報、及び利用者情報ＲＪを受信した場合の選択画面ＳＧの一例を示している。
【０１１５】
図９に示す選択画面ＳＧは、図６と同様に、同種インターフェースを示すインターフェース情報ＩＪを含み、異種インターフェースを示すインターフェース情報ＩＪを含まない。図９に示す選択画面ＳＧは、ＨＤＭＩインターフェース１５１Ａを示すインターフェース情報ＩＪ１１と、第１無線通信インターフェース１５１Ｆを示すインターフェース情報ＩＪ９と、第２無線通信インターフェース１５１Ｇを示すインターフェース情報ＩＪ１０とを含む。図９の選択画面ＳＧは、「利用者Ａ」を示す利用者情報ＲＪを含む。
したがって、この選択画面ＳＧは、利用者Ａが使用する端末装置２００Ａとプロジェクター１００とが接続する場合に、接続できる入力インターフェースＮＦが、ＨＤＭＩインターフェース１５１Ａ、第１無線通信インターフェース１５１Ｆ、及び、第２無線通信インターフェース１５１Ｇのいずれかであることを示している。
【０１１６】
選択画面ＳＧは、利用者情報ＲＪの両隣に、ボタンＢ２とボタンＢ３とを含む。ボタンＢ２及びボタンＢ３とは、端末装置２００ごとに生成した選択画面ＳＧを切り替えるためのボタンであり、選択可能に構成される。
【０１１７】
例えば、図９の選択画面ＳＧにおいてボタンＢ２が選択された場合、投射制御部１７１は、端末装置２００Ｃに関する選択画面ＳＧを投射する。端末装置２００Ｃに関する選択画面ＳＧは、図９の選択画面ＳＧと同様、「利用者Ｃ」を示す利用者情報ＲＪと、端末装置２００Ｃとプロジェクター１００とが接続する場合に、端末装置２００Ｃが接続できる入力インターフェースＮＦを示すインターフェース情報ＩＪとを含む。
例えば、図９の選択画面ＳＧにおいてボタンＢ３が選択された場合、投射制御部１７１は、端末装置２００Ｂに関する選択画面ＳＧを投射する。端末装置２００Ｃに関する選択画面ＳＧは、図９の選択画面ＳＧと同様、「利用者Ｂ」を示す利用者情報ＲＪと、端末装置２００Ｂとプロジェクター１００とが接続する場合に、端末装置２００Ｂが接続できる入力インターフェースＮＦを示すインターフェース情報ＩＪとを含む。
【０１１８】
以上のように、第２実施形態において、生成部１７２は、複数の端末装置２００から出力インターフェース情報及び利用者情報ＲＪを受信した場合、端末装置２００ごとに選択画面ＳＧを生成する。そして、投射制御部１７１は、生成された選択画面ＳＧを投射する。これにより、ユーザーは、接続する端末装置２００が複数ある場合でも、１の端末装置２００ごとに、どの入力インターフェースＮＦを選択すればよいのかをユーザーが容易に判断できるようになる。したがって、プロジェクター１００は、複数の端末装置２００と接続する際におけるユーザーの利便性を向上できる。
【０１１９】
なお、端末装置２００ごとに生成した選択画面ＳＧの投射態様は、ユーザーのボタンＢ２又はＢ３の選択で切り替わる態様に限定されず、所定期間の経過により切り替わる態様でもよい。
【０１２０】
＜変形例＞
次に、第２実施形態の変形例について説明する。
第２実施形態では、生成部１７２が、端末装置２００ごとに選択画面ＳＧを生成する構成を例示したが、変形例では、端末装置２００ごとに選択画面ＳＧを生成せず、共通の選択画面ＳＧを生成する。
【０１２１】
このことについて、詳述する。プロジェクター１００の端末制御部２０の生成部１７２は、通信インターフェース部１４５により、複数の端末装置２００から出力インターフェース情報と利用者情報ＲＪとを受信する。生成部１７２は、複数の端末装置２００から出力インターフェース情報と利用者情報ＲＪとを受信すると、複数の出力インターフェース情報が示す出力インターフェースＳＦのうち、最も数が多い種類の出力インターフェースＳＦを特定する。そして、生成部１７２は、最も数が多い種類の出力インターフェースＳＦと同種の入力インターフェースＮＦをプロジェクター１００が有している場合、この入力インターフェースＮＦを示すインターフェース情報ＩＪのみ含み、他のインターフェース情報ＩＪを含まない選択画面ＳＧを生成する。そして、投射制御部１７１は、投射部１１０により、この選択画面ＳＧを投射する。
【０１２２】
このように、生成部１７２は、最も数が多い種類の出力インターフェースＳＦを含む選択画面ＳＧを生成する。そのため、プロジェクター１００は、複数の端末装置２００が接続する際に、最も多くの端末装置２００が接続できる入力インターフェースＮＦをユーザーに提示できる。そのため、ユーザーは、最も多くの端末装置２００が接続できる入力インターフェースＮＦがどの入力インターフェースＮＦであるかを容易に判断できる。したがって、プロジェクター１００は、複数の端末装置２００と接続する際におけるユーザーの利便性を向上できる。
【０１２３】
上述した各実施形態及び変形例は、本発明の好適な実施の形態である。ただし、これに限定されるものではなく、本発明の要旨を逸脱しない範囲内において種々の変形実施が可能である。
【０１２４】
例えば、上述した各実施形態及び変形例では、入力インターフェース部１５１が備えるインターフェースＮＦとして、図２に示す１０個の入力インターフェースＮＦを例示した。しかしながら、プロジェクター１００が有する入力インターフェースＮＦは、この１０個の入力インターフェースＮＦに限定されず、多くても少なくてもよい。このことは、端末装置２００が有する出力インターフェースＳＦについても同様である。
【０１２５】
また、例えば、上述した実施形態では、プロジェクター１００が、透過型の液晶パネルを用いた液晶プロジェクターである場合について説明したが、反射型の液晶パネルやデジタルミラーデバイスを用いたプロジェクターであってもよい。
【０１２６】
また、例えば、上述したプロジェクター１００の制御方法（表示装置の制御方法）が、プロジェクター１００が備えるコンピューター、又は、プロジェクター１００に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、プロジェクター１００や、プロジェクター１００に接続された外部装置が備える内部記憶装置であるＲＡＭ（Random Access Memory）、ＲＯＭ（Read Only Memory）、ＨＤＤ等の不揮発性記憶装置でもよい。
【０１２７】
また、図４、及び、図８に示すフローチャートの処理単位は、プロジェクター１００の制御部１７０、及び、端末装置２００の端末制御部２０の処理を理解容易にするために、主な処理内容に応じて分割したものである。図４、及び、図８のフローチャートに示す処理単位の分割の仕方や名称によって本発明が制限されることはない。また、制御部１７０、及び、端末制御部２０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１２８】
また、図２に示すプロジェクター１００の各機能部と図３に示す端末装置２００の各機能部とは、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【０１２９】
また、本発明の表示装置は、スクリーンＳＣに画像を投射するプロジェクターに限定されない。例えば、表示装置は、液晶表示パネルに画像を表示する液晶モニター若しくは液晶テレビ、又はＰＤＰ（プラズマディスプレイパネル）に画像を表示するモニター装置若しくはテレビ受像機、又はＯＬＥＤ（Organic light-emitting diode）やＯＥＬ（Organic Electro-Luminescence）等と呼ばれる有機ＥＬ表示パネルに画像を表示するモニター装置若しくはテレビ受像機等の自発光型の表示装置など、各種の表示装置も本発明の表示装置に含まれる。
【符号の説明】
【０１３０】
１…画像投射システム、５…リモコン、２０…端末制御部、２１…通信制御部、２２…出力情報生成部、３０…端末記憶部、４０…端末通信インターフェース部、５０…端末表示部、６０…端末入力部、７０…出力インターフェース部、７１…ＨＤＭＩインターフェース、７２…第１無線通信インターフェース、７３…第２無線通信インターフェース、１００…プロジェクター（表示装置）、１１０…投射部（表示部）、１１１…光源部、１１２…光変調装置、１１３…投射光学系、１２０…駆動部、１２１…光源駆動部、１２２…光変調装置駆動部、１２３…投射光学系駆動部、１３１…操作パネル、１３３…リモコン受光部、１３５…入出力インターフェース部、１４０…撮像部、１４５…通信インターフェース部（通信部）、１５１…入力インターフェース部、１５Ａ１…ＨＤＭＩ１インターフェース（入力部）、１５Ａ２…ＨＤＭＩ２インターフェース（入力部）、１５Ａ３…ＨＤＭＩ３インターフェース（入力部）、１５Ｂ１…Ｄ−Ｓｕｂ１インターフェース（入力部）、１５Ｂ２…Ｄ−Ｓｕｂ２インターフェース（入力部）、１５１Ｃ…Ｖｉｄｅｏインターフェース（入力部）、１５１Ｄ…Ｄｉｓｐｌａｙｐｏｒｔインターフェース（入力部）、１５１Ｅ…ＵＳＢインターフェース（入力部）、１５１Ｆ…第１無線通信インターフェース（入力部）、１５１Ｇ…第２無線通信インターフェース（入力部）、１５３…フレームメモリー、１５５…画像処理部、１６０…記憶部、１７０…制御部、１７１…投射制御部、１７２…生成部、１８０…バス、２００…端末装置（情報端末）、２００Ａ〜２００Ｃ…端末装置（情報端末）、ＮＦ…入力インターフェース（入力部）、ＲＪ…利用者情報、ＳＣ…スクリーン、ＳＦ…出力インターフェース（出力部）、ＳＧ…選択画面。
【図１】
2019148628.tif 000003
【図２】
2019148628.tif 000004
【図３】
2019148628.tif 000005
【図４】
2019148628.tif 000006
【図５】
2019148628.tif 000007
【図６】
2019148628.tif 000008
【図７】
2019148628.tif 000009
【図８】
2019148628.tif 000010
【図９】
2019148628.tif 000011